(57)【要約】      （修正有）【課題】部品点数の削減により構造の簡素化を実現し、締付帯の緊締作業を容易にするとともに、歩行者などの安全度を高めた締付帯の緊締金具を提供する。【解決手段】緊締金具１は緊締枠本体２を備え、緊締枠本体２は底板の幅方向両端から立ち上がって長手方向にのびる一対の側板５を有し、底板の長手方向の先端部に締付帯６の基端部６Ｘの巻き掛け固定を可能な巻き掛け固定部が設けられ、側板５の長手方向後端部に、巻き掛け固定部に基端部６Ｘが巻き掛け固定されて構築物の周囲に巻回された締付帯６の先端部６Ｙ側を巻き掛けて後方に引っ張るのを許容して緊締力を付与する巻き掛け部９が架設され、該巻き掛け部９に巻き掛けられて底板の長手方向先端側に反転した締付帯６の先端部近傍を底板側に押圧固定する押圧片１０が側板５の長手方向先端部側に底板側への折り曲げ可能に立設されている。【選択図】図５
0003165417.tif 000002
【実用新案登録請求の範囲】
【請求項１】
構築物の周囲に巻回して該構築物を緊締する締付帯の緊締金具であって、
該緊締金具は緊締枠本体を備え、この緊締枠本体は、底板の幅方向両端から立ち上がって互いに対向して長手方向にのびる一対の側板を有し、前記底板および一対の側板の長手方向の先端部に前記締付帯の基端部の巻き掛け固定を可能な巻き掛け固定部が設けられ、前記一対の側板の長手方向後端部には、前記巻き掛け固定部に基端部が巻き掛け固定されて前記構築物の周囲に巻回された締付帯の先端部側を巻き掛けて後方に引っ張るのを許容して緊締力を付与する巻き掛け部が架設されているとともに、該巻き掛け部に巻き掛けられて前記底板の長手方向先端側に反転した締付帯の先端部近傍を底板側に押圧固定する押圧片が少なくとも一方の側板の長手方向先端部側に底板側への折り曲げ可能に立設されていることを特徴とする締付帯の緊締金具。
【請求項２】
請求項１に記載した締付帯の緊締金具において、
前記巻き掛け固定部は、前記底板の長手方向先端部に長手方向後端部に向けて所定の間隔を隔てて交互に幅方向にのびて形成された第１、第２リブと第１、第２切欠部および少なくとも一方の側板の長手方向先端部に前記押圧片に略隣接して底板側への折り曲げ可能に立設された固定片とを備えてなる締付帯の緊締金具。
【請求項３】
請求項１または請求項２に記載した締付帯の緊締金具において、
前記巻き掛け部は、前記一対の側板の長手方向後端部の先端域で各側板に架設される第１巻き掛けピンと、長手方向後端部に向けて所定の間隔を隔てて前記第１巻き掛けピンに平行して前記一対の側板の長手方向後端部の後端域で各側板に架設される第２巻き掛けピンとを備えてなる締付帯の緊締金具。
【請求項４】
請求項１、請求項２または請求項３に記載した締付帯の緊締金具において、
前記押圧片の先端部に、該押圧片が前記締付帯の先端部近傍を底板側へ押圧した時に該先端部近傍に食い込む食い込み刃が形成されている締付帯の緊締金具。
【請求項５】
請求項４に記載した締付帯の緊締金具において、
前記押圧片の前記先端部を除いた部分の表面に文字，数字または図形の少なくとも一つが表示されている締付帯の緊締金具。
【請求項６】
請求項１乃至請求項５のいずれか１項に記載した締付帯の緊締金具において、
前記底板および前記一対の側板の下端は、前記構築物の曲率外周面に密接または略密接可能な形状に形成されている締付帯の緊締金具。
【請求項７】
請求項１乃至請求項６のいずれか１項に記載した締付帯の緊締金具において、
前記締付帯は、ポリエチレン樹脂からなるベルト状の主体部にアラミド繊維からなる複数の芯材が長手方向全長にのびて内蔵されている締付帯の緊締金具。
【考案の詳細な説明】
【技術分野】
【０００１】
本考案は締付帯の緊締金具に係り、より詳しくは、電柱などの構築物に、構築物の所有、管理の関係を示す表示、取り扱いに関する注意、広告などを記載した板を取り付けるために、これらの板に巻回される締付帯を緊締するための締付帯の緊締金具に関する。
【背景技術】
【０００２】
従来、締付帯の緊締金具として特許文献１に記載のものが提案されている。この締付帯の緊締金具を図１０，図１１に示す。これらの図において、締付帯の緊締金具５０は、ステンレス鋼板製の緊締枠本体５１と、ステンレス製の巻取軸５２と、後述するステンレス細線を幅方向両端部に内蔵した樹脂製の締付帯５３とを備える。
【０００３】
緊締枠本体５１は、底板５１ａの幅方向両端から立ち上がって互いに対向する一対の側板５１ｂ，５１ｃを有し、底板５１ａの一端部５１Ｘに締付帯５３の基端部５３Ｘが固定され、底板５１ａの先端部５１Ｙには、幅方向両端から少し立ち上がって互いに対向する一対のガイド片５１ｄ，５１ｅが形成されている。また、巻取軸５２は、一対の側板５１ｂ，５１ｃを貫通して該側板５１ｂ，５１ｃに水平軸線Ｃ回りの回動を可能に、かつ水平軸線Ｃ方向の進退を不能に架設されており、巻取軸５２の水平軸線Ｃ方向の進退は、巻取軸５２の軸線Ｃ方向の一端に形成した回動操作頭部５２ａが側板５１ｂの表面に密着している座金５４ａに干渉し、巻取軸５２の軸線Ｃ方向の他端に形成した外突縁５２ｂが側板５１ｃの表面に密着している座金５４ｂに干渉することで不能に拘束されている。さらに、巻取軸５２には、締付帯５３の挿通を許容する隙間５５が軸線Ｃ方向に沿って半径方向に貫通形成されている。なお、座金５４ａ，５４ｂは、巻取軸５２と同時に回転し得るように巻取軸５２に組み付けられている。
【０００４】
一方、緊締枠本体５１と巻取軸５２との間に一方向クラッチ機構５６が介設される。この一方向クラッチ機構５６は、巻取軸５２を回動操作頭部５２ａ側から見て時計回り（矢印Ｒ）の回動を許容し、反時計回りの回動を規制するためのもので、一対の側板５１ｂ，５１ｃに円周方向等間隔で形成した複数の係止孔５７（ただし、図１０において側板５１ｂに形成した複数の係止孔５７のみを示している）と、各座金５４ａ，５４ｂに形成されて前記係止孔５７に係合または摺動する一対の係止爪５８（ただし、図１０において座金５４ａに形成した一対の係止爪５８のみを示している）とで構成されている。つまり、巻取軸５２を回動操作頭部５２ａ側から見て時計回り（矢印Ｒ）に回動した場合は、一対の係止爪５８は各係止孔５７に対して摺動して巻取軸５２の時計回り（矢印Ｒ）の回動を許容し、巻取軸５２を回動操作頭部５２ａ側から見て反時計回りに回動した場合は、一対の係止爪５８は各係止孔５７のいずれかに係合して、巻取軸５２の反時計回りの回動を規制する。
【０００５】
前記構成の締付帯の緊締金具５０によれば、電柱などの構築物５９に巻回した板６０の周囲に締付帯５３を巻回して適当な長さに切断し、その先端部５３Ｙを底板５１ａの先端部５１Ｙ側から巻取軸５２の隙間５５に挿通して、先端部５３Ｙ側を底板５１ａの一端部５１Ｘ側に露出させる。つぎに、巻取軸５２の回動操作頭部５２ａをペンチなどの工具で挟むか、あるいは回動操作頭部５２ａ内にドライバーの軸部を挿通して巻取軸５２を回動操作頭部５２ａ側から見て時計回り（矢印Ｒ）に回動すると、締付帯５３の先端部５３Ｙ側が巻取軸５２の周囲に巻き取られて締付帯５３は次第に緊締する。これにより、締付帯５３は板６０を電柱などの構築物５９に締付け固定する。
【先行技術文献】
【特許文献】
【０００６】
【特許文献１】実公平４−１２５３１号公報
【考案の概要】
【考案が解決しようとする課題】
【０００７】
ここで、前記従来の締付帯の緊締金具５０において、締付帯５３の先端部５３Ｙ側を底板５１ａの先端部５１Ｙ側から巻取軸５２の隙間５５に挿通した初期の状態から、巻取軸５２を回動操作頭部５２ａ側から見て時計回り（矢印Ｒ）に回動して締付帯５３の先端部５３Ｙ側が巻取軸５２の周囲に巻き取られる場合の挙動を説明する。
【０００８】
まず、図１２（ａ）に示すように、適当な長さに切断した締付帯５３の先端部５３Ｙ側を底板５１ａの先端部５１Ｙ側から巻取軸５２の隙間５５に挿通して、底板５１ａの一端部５１Ｘ側に露出させる。つぎに、巻取軸５２を回動操作頭部５２ａ側から見て時計回り（矢印Ｒ）に９０度回動すると、図１２（ｂ）に示すように、先端部５３Ｙ側における隙間５５に近い部位５３ｃが底板５１ａの表面に干渉して反時計回りに折り曲げられ、この折り曲げに伴って先端部５３Ｙ側は底板５１ａ、板６０および構築物５９の表面から離れる斜め上方に反り返り、底板５１ａから離れて一対の側板５１ｂ，５１ｃ（ただし、図１２（ｂ）には側板５１ｃのみが示されている）の外側に飛び出ることになる。
【０００９】
さらに、巻取軸５２を回動操作頭部５２ａ側から見て時計回り（矢印Ｒ）に９０度回動すると、図１２（ｃ）に示すように、前記隙間５５に近い部位５３ｃと先端部５３Ｙとの間５３ｄが底板５１ａの表面に干渉して反時計回りに折り曲げられ、この折り曲げに伴って先端部５３Ｙ側はさらに底板５１ａ、板６０および構築物５９の表面から離れる斜め上方に大きく反り返り、底板５１ａから大きく離れて一対の側板５１ｂ，５１ｃ（ただし、図１２（ｃ）には側板５１ｃのみが示されている）の外側に飛び出ることになる。
【００１０】
すなわち、前記従来の締付帯の緊締金具５０は、緊締枠本体５１と締付帯５３の他に、隙間５５を形成した巻取軸５２、一対の座金５４ａ，５４ｂ、一方向クラッチ機構５６などを必要とするので、部品点数が多く構造が複雑である。また、締付帯５３の緊締は、巻取軸５２の回動操作頭部５２ａをペンチなどの工具で挟むか、あるいは回動操作頭部５２ａ内にドライバーの軸部を挿通して、巻取軸５２を回動操作頭部５２ａ側から見て時計回り（矢印Ｒ）に回動することによって行われるので、緊締作業が煩雑である。しかも、締付帯５３の先端部５３Ｙ側が巻取軸５２の周囲に巻き取られることで、図１２（ｃ）に示すように、先端部５３Ｙ側が一対の側板５１ｂ，５１ｃの外側に飛び出る。締付帯５３には、その幅方向両端部に長手方向にのびるステンレス細線５３ａが内蔵されている。このような構造の締付帯５３であると、緊締強度を増大させて強固な緊締を確保することができる利点を有している反面、ステンレス細線５３ａの先端部が図１２（ｂ），１２（ｃ）のように露出し、露出したステンレス細線５３ａの先端部が一対の側板５１ｂ，５１ｃの外側に飛び出た状態で保持されていると、たとえば歩行者の手や衣服などに引っ掛かって、手や衣服などを損傷させるおそれを有する。
【００１１】
本考案は上記の実情に鑑みてなされたものであって、部品点数の削減により構造の簡素化を実現し、締付帯の緊締作業を容易にするとともに、歩行者などの安全度を高めることができる締付帯の緊締金具の提供を目的とするものである。
【課題を解決するための手段】
【００１２】
前記目的を達成するために、本考案に係る締付帯の緊締金具は、構築物の周囲に巻回して該構築物を緊締する締付帯の緊締金具であって、
該緊締金具は緊締枠本体を備え、この緊締枠本体は、底板の幅方向両端から立ち上がって互いに対向して長手方向にのびる一対の側板を有し、前記底板および一対の側板の長手方向の先端部に前記締付帯の基端部の巻き掛け固定を可能な巻き掛け固定部が設けられ、前記一対の側板の長手方向後端部には、前記巻き掛け固定部に基端部が巻き掛け固定されて前記構築物の周囲に巻回された締付帯の先端部側を巻き掛けて後方に引っ張るのを許容して緊締力を付与する巻き掛け部が架設されているとともに、該巻き掛け部に巻き掛けられて前記底板の長手方向先端側に反転した締付帯の先端部近傍を底板側に押圧固定する押圧片が少なくとも一方の側板の長手方向先端部側に底板側への折り曲げ可能に立設されていることを特徴としている。
【００１３】
前記構成の締付帯の緊締金具によれば、従来の締付帯の緊締金具において必要とされていた隙間を形成した巻取軸、一対の座金、一方向クラッチ機構などが不要になるので、それだけ部品点数が削減されて構造の簡素化を実現できる。また、締付帯の強固な緊締力は、巻き掛け部に巻き掛けられた締付帯の先端部側を後方に引っ張ることによって付与できるので、締付帯の緊締作業が容易になる。しかも、このようにして付与された締付帯の強固な緊締力は、前記巻き掛け部に巻き掛けられて底板の長手方向先端側に反転した締付帯の先端部近傍を押圧片によって底板側に押圧固定することで強固に保持して、緊締後における締付帯の緩みを確実に防止して、緊締施工状態を保持することが可能である。
【００１４】
本考案に係る締付帯の緊締金具の前記巻き掛け固定部は、前記底板の長手方向先端部に長手方向後端部に向けて所定の間隔を隔てて交互に幅方向にのびて形成された第１、第２リブと第１、第２切欠部および少なくとも一方の側板の長手方向先端部に前記押圧片に略隣接して底板側への折り曲げ可能に立設された固定片とを備えてなることが望ましい。
【００１５】
これによれば、上側から前記第２切欠部を下向きに通って前記第２リブに巻き掛けられて反転された前記締付帯基端部の基端側を下側から前記第１切欠部を通って前記第１リブの上面に載置し、この基端側の上面に前記締付帯基端部の反基端側を重ねるとともに、固定片を底板側へ折り曲げて該固定片と第１リブとで締付帯の反基端側および基端側を挟着する簡単な作業によって、底板の長手方向の先端部に締付帯の基端部を強固に巻き掛け固定することができる。
【００１６】
本考案に係る締付帯の緊締金具の前記巻き掛け部は、前記一対の側板の長手方向後端部の先端域で各側板に架設される第１巻き掛けピンと、長手方向後端部に向けて所定の間隔を隔てて前記第１巻き掛けピンに平行して前記一対の側板の長手方向後端部の後端域で各側板に架設される第２巻き掛けピンとを備えてなることが望ましい。
【００１７】
これによれば、締付帯の先端部側を下側から上向きに第１巻き掛けピンに巻き掛けて後方かつ下向きに反転させたのち、第２巻き掛けピンの下側を通して後方かつ斜め上方に延出させ、この延出部を斜め上方に引っ張る簡単な作業によって、前記構築物の周囲に巻回された締付帯に緊締力を付与して、構築物を強固に緊締することができる。
【００１８】
本考案に係る締付帯の緊締金具は、前記押圧片の先端部に、該押圧片が前記締付帯の先端部近傍を底板側へ押圧した時に該先端部近傍に食い込む食い込み刃を形成することが望ましい。これによると、巻き掛け部に巻き掛けられて底板の長手方向先端側に反転した締付帯の先端部近傍を食い込み刃の食い込み作用によって、より一層強固に底板側に押圧固定することができるので、緊締後における締付帯の緩みをより一層確実に防止することができる。
【００１９】
本考案に係る締付帯の緊締金具は、前記押圧片の前記先端部を除いた部分の表面に文字，数字または図形の少なくとも一つを表示することが望ましい。これによると、表示された文字，数字または図形によって締付帯の緊締金具の製造社名および締付帯の緊締金具の緊締施工年度や月日などが確認できて、緊締施工後における締付帯の緊締金具の管理に寄与することができる。
【００２０】
本考案に係る締付帯の緊締金具は、前記底板および前記一対の側板の下端を、前記構築物の曲率外周面に密接または略密接可能な形状に形成することが望ましい。これによると、構築物の曲率外周面に対する底板の下面と一対の側板の下端および締付帯のフィット性がよくなるので、締付帯により構築物をガタツクことなく強固に緊締することが可能となる。
【００２１】
本考案に係る締付帯の緊締金具の締付帯は、ポリエチレン樹脂からなるベルト状の主体部にアラミド繊維からなる複数の芯材が長手方向全長にのびて内蔵されていることが望ましい。これによると、ポリエチレン樹脂およびアラミド繊維保有の引っ張り強さによって、所定の緊締力によって締付帯を緊締することが可能となるとともに、ポリエチレン樹脂およびアラミド繊維保有の弾性によって、緊締施工後における締付帯の塑性変形が回避されるので、たとえば誤った位置に締付帯の緊締金具が緊締施工されたとしても、その緊締施工後に締付帯の緊締を緩めて、締付帯の緊締金具を適正な位置に変位させたのちに、締付帯を再度緊締して適正な位置で締付帯を緊締することが可能であるとともに、たとえ、ポリエチレン樹脂からなるベルト状の主体部の先端からアラミド繊維からなる複数の芯材の先端部が露出していても、この露出部分が、たとえば歩行者の手や衣服などに引っ掛かって、手や衣服などを損傷させることはない。したがって、歩行者などの安全度を高めることができる。
【考案の効果】
【００２２】
本考案に係る締付帯の緊締金具は、従来の締付帯の緊締金具において必要とされていた隙間を形成した巻取軸、一対の座金、一方向クラッチ機構などが不要になるので、それだけ部品点数が削減されて構造の簡素化を実現できる。また、締付帯の強固な緊締力は、巻き掛け部に巻き掛けられた締付帯の先端部側を後方に引っ張ることによって付与できるので、締付帯の緊締作業が容易になる。しかも、主体部の先端から芯材の先端部が露出していても、この露出部分が、たとえば歩行者の手や衣服などに引っ掛かって、手や衣服などを損傷させることはないので、歩行者などの安全度を高めることができる。
【図面の簡単な説明】
【００２３】
【図１】本考案に係る締付帯の緊締金具における緊締枠本体の一実施形態を示す斜視図である。
【図２】図１の正面図である。
【図３】図１の平面図である。
【図４】緊締枠本体における押圧片の好ましい実施形態を示す左側面図である。
【図５】緊締枠本体の巻き掛け固定部に締付帯の基端部が巻き掛け固定された状態および緊締枠本体の巻き掛け部に締付帯の先端部側を巻き掛けて後方かつ斜め上方に延出させた状態の一実施形態を示す正面図である。
【図６】図５の平面図である。
【図７】図５のＶＩＩ−ＶＩＩ線に沿う拡大断面図である。
【図８】本考案に係る締付帯の緊締金具の緊締施工前段の一実施形態を示す正面図である。
【図９】本考案に係る締付帯の緊締金具の緊締施工後の一実施形態を示す概略正面図である。
【図１０】従来例の正面図である。
【図１１】図１０の平面図である。
【図１２】図１２（ａ）〜図１２（ｃ）は、従来例による締付帯の先端部側が巻取軸の周囲に巻き取られる挙動の説明図である。
【考案を実施するための形態】
【実施例】
【００２４】
以下、本考案に係る締付帯の緊締金具の好ましい実施形態を図面に基づいて説明する。
図１は本考案に係る締付帯の緊締金具における緊締枠本体の一実施形態を示す斜視図、図２は図１の正面図、図３は図１の平面図、図４は緊締枠本体における押圧片の好ましい実施形態を示す左側面図、図５は緊締枠本体の巻き掛け固定部に締付帯の基端部が巻き掛け固定された状態および緊締枠本体の巻き掛け部に締付帯の先端部側を巻き掛けて後方かつ斜め上方に延出させた状態の一実施形態を示す正面図、図６は図５の平面図、図７は図５のＶＩＩ−ＶＩＩ線に沿う拡大断面図、図８は本考案に係る締付帯の緊締金具の緊締施工前段の一実施形態を示す正面図、図９は本考案に係る締付帯の緊締金具の緊締施工後の一実施形態を示す概略正面図である。
【００２５】
これらの図において、締付帯の緊締金具１は、ステンレス鋼板をプレス機により打ち抜きおよび曲げ加工して一体に成形された緊締枠本体２を備える。この緊締枠本体２は、底板３の幅方向（図３の矢印Ｗ）両端から立ち上がって互いに対向して長手方向（図３の矢印Ｌ）にのびる一対の側板４，５を有しており、底板３の長手方向の先端部（図１，図２，図３の左端部）に、図５，図６に示す締付帯６の基端部６Ｘの巻き掛け固定を可能な巻き掛け固定部７（図３参照）が設けられ、一対の側板４，５の長手方向後端部（図１，図２，図３の右端部）には、巻き掛け固定部７に基端部６Ｘが巻き掛け固定されて電柱などの構築物８（図９参照）の周囲に巻回された締付帯６の先端部６Ｙ側（図５，図６参照）を巻き掛けて後方かつ斜め上方（図５の矢印Ｆ参照）に引っ張るのを許容して、締付帯６に緊締力を付与する巻き掛け部９が架設されている。そして、この巻き掛け部９に巻き掛けられて、底板３の長手方向先端側（図１，図２，図３の左側）に向けて反転（図８の矢印Ｆ１参照）した締付帯６の先端部６Ｙ近傍６Ｚを、上側から底板３側に押圧固定する押圧片１０が一対の側板４，５それぞれの長手方向先端部側に、底板３側への折り曲げ可能に立設されている。なお、一対の側板４，５のいずれか一方の長手方向先端部側に、前記押圧片１０よりも長寸の押圧片（図示省略）を底板３側への折り曲げ可能に立設した構成であってもよい。
【００２６】
巻き掛け固定部７は、図２，図３に示すように、底板３の長手方向先端部に長手方向後端部に向けて所定の間隔を隔てて交互に幅方向にのびて形成された第１リブ７０，第２リブ７１と第１切欠部７２，第２切欠部７３および一対の側板４，５それぞれの長手方向先端部に、押圧片１０に略隣接して底板３側への折り曲げ可能に立設した固定片１１とを備えている。なお、一対の側板４，５のいずれか一方の長手方向先端部に、前記固定片１１よりも長寸の固定片（図示省略）を底板３側への折り曲げ可能に立設した構成であってもよい。
【００２７】
巻き掛け部９は、図１，図２，図３に示すように、一対の側板４，５の長手方向後端部の先端域で各側板４，５に架設される第１巻き掛けピン９０と、長手方向後端部に向けて所定の間隔を隔てて第１巻き掛けピン９０に平行して一対の側板４，５の長手方向後端部の後端域で各側板４，５に架設される第２巻き掛けピン９１とを備え、第１巻き掛けピン９０と第２巻き掛けピン９１は、図３に示すように、一端部を連続させて他端部を開放したＵ字状に成形されている。
【００２８】
一方、図４の実線で示すように、各押圧片１０の先端部１０Ａには、これら押圧片１０が二点鎖線で示すように折り曲げられて、締付帯６の先端部近傍６Ｚを底板３側へ押圧した時に、詳しくは、各押圧片１０が締付帯６の先端部近傍６Ｚを第１リブ７０側へ押圧した時に、該先端部近傍６Ｚに食い込む下向き円弧状の食い込み刃１０ａが形成されている。
【００２９】
また、各押圧片１０の先端部１０Ａを除いた部分１０Ｂの表面に、文字，数字または図形の少なくとも一つ（図示省略）が表示されている。
【００３０】
他方、底板３および一対の側板４，５の下端は、図９に示すように、電柱などの構築物８の曲率外周面に密接または略密接可能な形状に形成されている。より詳しくは、構築物８に巻回した板１２の曲率外周面に密接または略密接可能な形状に形成されている。
【００３１】
さらに、締付帯６は、図７に示すように、ポリエチレン樹脂からなるベルト状の主体部６１にアラミド繊維からなる複数の芯材６２を長手方向全長にのびて内蔵した構造としている。
【００３２】
前記構成の締付帯の緊締金具１は、図９に示すように、電柱などの構築物８に巻回した板１２の周囲に締付帯６を巻回して構築物８を緊締する。この締付帯の緊締金具１によれば、図１０，図１１で説明した従来の締付帯の緊締金具５０において必要とされていた隙間５５を形成した巻取軸５２、一対の座金５４ａ，５４ｂ、一方向クラッチ機構５６などが不要になるので、それだけ部品点数が削減されて構造の簡素化を実現できる。また、締付帯６の強固な緊締力は、巻き掛け部９に巻き掛けられた締付帯６の先端部６Ｙ側を後方かつ斜め上方（図５の矢印Ｆ参照）に引っ張ることによって付与できるので、締付帯６の緊締作業が容易になる。しかも、このようにして付与された締付帯６の強固な緊締力は、巻き掛け部９に巻き掛けられて底板３の長手方向先端側に反転した締付帯６の先端部近傍６Ｚを押圧片１０によって底板３側に押圧固定することで強固に保持して、緊締後における締付帯６の緩みを確実に防止することが可能である。
【００３３】
前記構成の巻き掛け固定部７によれば、図５，図６に示すように、上側から第２切欠部７３を下向きに通して第２リブ７１に巻き掛けられて反転された締付帯６基端部６Ｘの基端側６ｘを下側から第１切欠部７２を通して第１リブ７０の上面に載置し、この基端側６ｘの上面に締付帯６基端部６Ｘの反基端側６ｘ１を重ねるとともに、各固定片１１を底板３側へ折り曲げてこれら固定片１１と第１リブ７０とで締付帯６の反基端側６ｘ１および基端側６ｘを挟着する簡単な作業によって、底板３の長手方向の先端部に締付帯６の基端部６Ｘを強固に巻き掛け固定することができる。
【００３４】
前記構成の巻き掛け部９によれば、図５，図６の矢印Ｆ２，Ｆ３で示すように、締付帯６の先端部６Ｙ側を下側から上向きに第１巻き掛けピン９０に巻き掛けて、後方かつ下向きに反転させたのち、矢印Ｆ４で示すように、第２巻き掛けピン９１の下側を通して後方かつ斜め上方に延出させ、この延出部を斜め上方（図５の矢印Ｆ参照）に引っ張る簡単な作業によって、図９に示す構築物８の周囲に巻回した板１２の周囲に巻回された締付帯６に緊締力を付与して、構築物８を強固に緊締することができる。
【００３５】
図４の実線で示すように、各押圧片１０の先端部１０Ａには、食い込み刃１０ａが形成されているので、各押圧片１０を二点鎖線で示すように折り曲げて締付帯６の先端部近傍６Ｚを底板３側へ押圧すると、図８に示す巻き掛け部９の第２巻き掛けピン９１に巻き掛けられて底板３の長手方向先端側に反転した締付帯６の先端部近傍６Ｚに、図９に示すように、食い込み刃１０ａが食い込むので、食い込み刃１０ａの食い込み作用によって、より一層強固に底板３側に押圧固定することができる。これにより、緊締後における締付帯６の緩みをより一層確実に防止することができる。
【００３６】
前記構成のように、各押圧片１０の先端部１０Ａを除いた部分１０Ｂの表面に、文字，数字または図形の少なくとも一つを表示することで、表示された文字，数字または図形によって締付帯の緊締金具１の製造社名および締付帯の緊締金具１の緊締施工年度や月日などが確認できて、緊締施工後における締付帯の緊締金具１の管理に寄与することができる。
【００３７】
前記構成のように、底板３および一対の側板４，５の下端が、電柱などの構築物８に巻回した板１２の曲率外周面に密接または略密接可能な形状に形成されていることにより、板１２の曲率外周面に対する底板３の下面と一対の側板４，５の下端および締付帯６のフィット性がよくなるので、締付帯６により板１２を介して構築物８をガタツクことなく強固に緊締することが可能となる。
【００３８】
前記構成のように、締付帯６は、ポリエチレン樹脂からなるベルト状の主体部６１にアラミド繊維からなる複数の芯材６２が長手方向全長にのびて内蔵されていると、ポリエチレン樹脂およびアラミド繊維保有の引っ張り強さによって、所定の緊締力によって締付帯６を緊締することが可能となるとともに、ポリエチレン樹脂およびアラミド繊維保有の弾性によって、緊締施工後における締付帯６の塑性変形が回避される。したがって、たとえば誤った位置に締付帯の緊締金具１が緊締施工されたとしても、その緊締施工後に締付帯６の緊締を緩めて、締付帯６の緊締金具を適正な位置に変位させたのちに、締付帯６を前述した手順によって再度緊締して適正な位置で締付帯を緊締することが可能である。しかも、たとえ、ポリエチレン樹脂からなるベルト状の主体部６１の先端からアラミド繊維からなる複数の芯材６２の先端部が露出していても、この露出部分が、たとえば歩行者の手や衣服などに引っ掛かって、手や衣服などを損傷させることはない。したがって、歩行者などの安全度を高めることができる。
【産業上の利用可能性】
【００３９】
締付帯の緊締金具１は、電柱などの構築物８に、構築物８の所有、管理の関係を示す表示、取り扱いに関する注意、広告などを記載した板１２を取り付けるために、これらの板１２に巻回される締付帯６を緊締するために利用される。
【符号の説明】
【００４０】
１  締付帯の緊締金具
２  緊締枠本体
３  底板
４  一方の側板
５  他方の側板
６  締付帯
６Ｘ  締付帯の基端部
６ｘ  締付帯の基端側
６ｘ１  締付帯の反基端側
６Ｙ  締付帯の先端部
６Ｚ  締付帯の先端部近傍
６１  ベルト状の主体部
６２  複数の芯材
７  巻き掛け固定部
７０  第１リブ
７１  第２リブ
７２  第１切欠部
７３  第２切欠部
８  電柱などの構築物（構築物）
９  巻き掛け部
９０  第１巻き掛けピン
９１  第２巻き掛けピン
１０  押圧片
１０Ａ  押圧片の先端部
１０Ｂ  押圧片の先端部を除いた部分
１０ａ  食い込み刃
１１  固定片
【図１】
0003165417.tif 000003
【図２】
0003165417.tif 000004
【図３】
0003165417.tif 000005
【図４】
0003165417.tif 000006
【図５】
0003165417.tif 000007
【図６】
0003165417.tif 000008
【図７】
0003165417.tif 000009
【図８】
0003165417.tif 000010
【図９】
0003165417.tif 000011
【図１０】
0003165417.tif 000012
【図１１】
0003165417.tif 000013
【図１２】
0003165417.tif 000014